(57)【要約】【課題】動作モードに応じた適切な報知制御を行える遊技媒体貸出装置を提供する。【解決手段】ＣＲ遊技機２０に対応して設置されるＣＲユニット１０は、ＣＲ遊技機２０の椅子に遊技者が座ったりＣＲ遊技機２０に触れるぐらい誰かが近づいた可能性のある着座状態を着座センサ部１６によって検知可能とし、盗難防止報知モードにおいては、遊技者が有価価値記録媒体Ｃの返却操作を行わずにＣＲ遊技機２０から離れると、音声信号生成部１４より盗難注意の音声を出力し、取り忘れ報知モードにおいては、遊技者が有価価値記録媒体Ｃを媒体挿排口１１ｂから受け取らずにＣＲ遊技機２０から離れると、音声信号生成部１４より取り忘れ注意の音声を出力し、夜間監視モードにおいては、不審者が遊技機２０に近づいて一定時間以上経過すると、音声信号生成部１４より侵入警告の音声を出力する。【選択図】図１
2008086341.tif 000002
【特許請求の範囲】
【請求項１】
遊技店に設置された遊技機に夫々対応して設けられ、情報記録媒体に記憶された情報に基づいて、対応する遊技機で使用する遊技媒体の貸出制御を行う遊技媒体貸出装置において、
遊技機に正対する椅子に誰かが座った蓋然性の高い着座状態の判定に用いる着座情報を取得する着座情報取得手段と、
前記着座情報取得手段により取得した着座情報が予め定めた着座条件を満たすことで着座状態を判定する着座状態判定手段と、
前記着座情報取得手段により取得した着座情報が予め定めた退座条件を満たすことで退座状態を判定する退座状態判定手段と、
前記着座状態判定手段および退座状態判定手段により判定された着座状態および退座状態が、予め設定された動作モードに対応して定まる報知条件を満たすことで、報知制御を行う報知制御手段と、
を備えることを特徴とする遊技媒体貸出装置。
【請求項２】
前記着座情報取得手段は、遊技機の前面側空間に遮蔽物が有るか否かを検知するエリアセンサの検知情報を着座情報として取得するようにしたことを特徴とする請求項１に記載の遊技媒体貸出装置。
【請求項３】
前記報知制御手段は、盗難防止報知モードに設定されたとき、利用可能な情報記録媒体の取出操作が行われていない状態で着座状態から退座状態へ変化する盗難防止報知条件が満たされることで、情報媒体の盗難防止に関する報知制御を行うようにしたことを特徴とする請求項１又は請求項２に記載の遊技媒体貸出装置。
【請求項４】
前記報知制御手段は、取り忘れ報知モードに設定されたとき、利用可能な情報記録媒体が媒体挿排口に残っている状態で着座状態から退座状態へ変化する取り忘れ報知条件が満たされることで、情報媒体の取り忘れに関する報知制御を行うようにしたことを特徴とする請求項１〜請求項３の何れか１項に記載の遊技媒体貸出装置。
【請求項５】
前記報知制御手段は、夜間監視モードに設定されたとき、退座状態から着座状態へ変化する不審者侵入報知条件が満たされることで、不審者の侵入に関する報知制御を行うようにしたことを特徴とする請求項１〜請求項４の何れか１項に記載の遊技媒体貸出装置。
【発明の詳細な説明】
【技術分野】
【０００１】
本発明は、遊技店に設置された遊技機に夫々対応して設けられ、情報記録媒体に記憶された情報に基づいて、対応する遊技機で使用する遊技媒体の貸出制御を行う遊技媒体貸出装置に関する。
【背景技術】
【０００２】
従来より、遊技店に導入されている遊技媒体貸出システムにおいては、プリペイド媒体（購入金額に相当する価値を記憶させた磁気カードやＩＣカード等）や現金の投入、あるいは会員カードによる貯玉引き出しサービスを用いた遊技媒体（遊技球や遊技メダル等）の貸出に際して、プリペイド媒体等の情報記録媒体を受入れて遊技媒体の貸出制御を行う遊技媒体貸出装置（いわゆるＣＲユニット）と、遊技媒体貸出機能を備えた遊技機（いわゆるＣＲ遊技機）とを並設している。
【０００３】
そして、情報記録媒体を取り扱う遊技媒体貸出装置においては、投入された情報記録媒体の所有者等に関する属性情報、または、エラー等の内部状態を報知することが必要な場合もある。そこで、操作表示部のランプやＬＥＤ等の点灯・消灯パターン等を変えたり、あるいは、利用可能ランプの点灯色や点滅パターンを変えたりして、遊技客へ視覚的に報知するようにした遊技媒体貸出装置が提案されている（例えば、特許文献１を参照）。
【０００４】
【特許文献１】特開２００５−５８３８９号公報
【発明の開示】
【発明が解決しようとする課題】
【０００５】
しかしながら、上記特許文献１に記載された遊技媒体貸出装置における報知方法では、必ずしも効果的な報知が行えるとは言えない点があった。例えば、遊技中の遊技者は遊技機に注目しているため、遊技機の側方に設置された遊技媒体貸出装置で警告を発していても、遊技者の注意を喚起できない場合もある。
【０００６】
加えて、特許文献１に記載されたような従来の遊技媒体貸出装置は、遊技客が遊技機で遊技を行うために着座している状態を検知する術を備えていないため、残価値のあるプリペイド媒体や貯玉情報のある会員カード等の情報記録媒体を遊技媒体貸出装置に入れっぱなしで遊技客が席を離れても、情報記録媒体を取り忘れている旨の注意喚起を適切に行うことはできない。このため、情報記録媒体の真正な所有者が取り忘れに気付いて戻ってくる前に、第三者に不正使用されていたり、情報記録媒体が持ち去られているようなケースもあり、保安上の観点からも望ましいことではない。
【０００７】
そこで、本発明は、上記問題点に鑑み、動作モードに応じた適切な報知制御を行うことができる遊技媒体貸出装置の提供を目的とする。
【課題を解決するための手段】
【０００８】
上記の課題を解決するために、請求項１に係る発明は、遊技店に設置された遊技機に夫々対応して設けられ、情報記録媒体に記憶された情報に基づいて、対応する遊技機で使用する遊技媒体の貸出制御を行う遊技媒体貸出装置において、遊技機に正対する椅子に誰かが座った蓋然性の高い着座状態の判定に用いる着座情報を取得する着座情報取得手段と、前記着座情報取得手段により取得した着座情報が予め定めた着座条件を満たすことで着座状態を判定する着座状態判定手段と、前記着座情報取得手段により取得した着座情報が予め定めた退座条件を満たすことで退座状態を判定する退座状態判定手段と、前記着座状態判定手段および退座状態判定手段により判定された着座状態および退座状態が、予め設定された動作モードに対応して定まる報知条件を満たすことで、報知制御を行う報知制御手段と、を備えることを特徴とする。
【０００９】
また、請求項２に係る発明は、前記請求項１に記載の遊技媒体貸出装置において、前記着座情報取得手段は、遊技機の前面側空間に遮蔽物が有るか否かを検知するエリアセンサの検知情報を着座情報として取得するようにしたことを特徴とする。
【００１０】
また、請求項３に係る発明は、前記請求項１又は請求項２に記載の遊技媒体貸出装置において、前記報知制御手段は、盗難防止報知モードに設定されたとき、利用可能な情報記録媒体の取出操作が行われていない状態で着座状態から退座状態へ変化する盗難防止報知条件が満たされることで、情報媒体の盗難防止に関する報知制御を行うようにしたことを特徴とする。
【００１１】
また、請求項４に係る発明は、前記請求項１〜請求項３の何れか１項に記載の遊技媒体貸出装置において、前記報知制御手段は、取り忘れ報知モードに設定されたとき、利用可能な情報記録媒体が媒体挿排口に残っている状態で着座状態から退座状態へ変化する取り忘れ報知条件が満たされることで、情報媒体の取り忘れに関する報知制御を行うようにしたことを特徴とする。
【００１２】
また、請求項５に係る発明は、前記請求項１〜請求項４の何れか１項に記載の遊技媒体貸出装置において、前記報知制御手段は、夜間監視モードに設定されたとき、退座状態から着座状態へ変化する不審者侵入報知条件が満たされることで、不審者の侵入に関する報知制御を行うようにしたことを特徴とする。
【発明の効果】
【００１３】
請求項１に係る遊技媒体貸出装置によれば、遊技機に正対する椅子に誰かが座った蓋然性の高い着座状態の判定に用いる着座情報を取得する着座情報取得手段と、前記着座情報取得手段により取得した着座情報が予め定めた着座条件を満たすことで着座状態を判定する着座状態判定手段と、前記着座情報取得手段により取得した着座情報が予め定めた退座条件を満たすことで退座状態を判定する退座状態判定手段と、前記着座状態判定手段および退座状態判定手段により判定された着座状態および退座状態が、予め設定された動作モードに対応して定まる報知条件を満たすことで、報知制御を行う報知制御手段と、を備えるので、動作モードに応じた適切な報知条件を予め設定しておくことで、音声出力や表示等による適切な報知動作を実現できる。
【００１４】
また、請求項２に係る遊技媒体貸出装置によれば、前記着座情報取得手段は、遊技機の前面側空間に遮蔽物が有るか否かを検知するエリアセンサの検知情報を着座情報として取得するようにしたので、比較的安価で簡易な構成により、遊技機に正対する椅子に誰かが座った蓋然性の高い着座状態を判定することができる。
【００１５】
また、請求項３に係る遊技媒体貸出装置によれば、前記報知制御手段は、盗難防止報知モードに設定されたとき、利用可能な情報記録媒体の取出操作が行われていない状態で着座状態から退座状態へ変化する盗難防止報知条件が満たされることで、情報媒体の盗難防止に関する報知制御を行うようにしたので、遊技者が席を立つタイミングで情報記録媒体の盗難防止報知を行うことが可能となり、遊技媒体貸出装置から取り出し忘れた情報記録媒体の盗難防止に好適である。
【００１６】
また、請求項４に係る遊技媒体貸出装置によれば、前記報知制御手段は、取り忘れ報知モードに設定されたとき、利用可能な情報記録媒体が媒体挿排口に残っている状態で着座状態から退座状態へ変化する取り忘れ報知条件が満たされることで、情報媒体の取り忘れに関する報知制御を行うので、遊技者が席を立つタイミングで情報記録媒体の取り忘れ報知を行うことが可能となり、遊技媒体貸出装置の媒体挿排口に情報記録媒体を残したまま退座する取り忘れ防止に好適である。
【００１７】
また、請求項５に係る遊技媒体貸出装置によれば、前記報知制御手段は、夜間監視モードに設定されたとき、退座状態から着座状態へ変化する不審者侵入報知条件が満たされることで、不審者の侵入に関する報知制御を行うようにしたので、夜間に遊技店へ侵入した不審者が遊技機に対する不正改竄を目的として遊技機の正面に近づいたタイミングで不審者侵入の報知を行うことが可能となり、遊技機に対する不正改竄防止に好適である。
【発明を実施するための最良の形態】
【００１８】
次に、本発明に係る遊技媒体貸出装置の実施形態として、遊技媒体として遊技球を貸し出す球貸装置に適用した例を添付図面に基づき詳細に説明するが、遊技媒体としてコイン形状の遊技メダルを貸し出すメダル貸出装置にも適用可能である。図１は、遊技媒体である遊技球の貸出制御機能を備えた遊技媒体貸出装置であるＣＲユニット１０の概略構成を示し、貨幣投入口１１ａから投入された貨幣Ｍによって、プリペイド媒体（例えば、磁気記録部に有価価値を記録したカード形状のプリペイドカードやＩＣを内蔵した硬貨形状のプリペイドコイン等）の有価価値記録媒体Ｃを発行したり、媒体挿排口１１ｂから投入された有価価値記録媒体Ｃに残っている有価価値に基づいて遊技球の貸出制御を行う。
【００１９】
なお、ＣＲユニット１０で遊技球貸出のために使用できるのは、購入金額に応じた有価価値が記録されたプリペイド媒体に限定されるものではなく、遊技で獲得した遊技球を貯めておける貯玉システムを利用可能な会員カードを媒体挿排口１１ｂから受け入れ、会員カードにより特定される顧客番号に応じた貯玉を引き出すように遊技球貸出を行うようにしても良い。
【００２０】
また、ＣＲユニット１０は、主たる動作制御を行う主制御回路１２を有し、投入された貨幣Ｍの真贋や金額を識別する貨幣識別部１３、スピーカ等の音声信号生成部１５、表示パネルや操作ボタンからなる表示／操作部１４、検知エリア内における障害物の有無を検出するエリアセンサを用いた着座センサ部１６、媒体挿排口１１ｂから投入された有価価値記録媒体Ｃを保持する記録媒体保持部１７（有価価値記録媒体Ｃに記録された記録情報の読出／書換を行う媒体Ｒ／Ｗ部１７ａ、有価価値記録媒体Ｃが媒体挿排口１１ｂに残っている状態を検出可能な挿排口センサ１７ｂを有する。）等と接続され、種々の情報を受信すると共に制御信号を送出する。電源部１８は、外部から電源供給を受けて、主制御回路１２等へ所要の電源を供給する。
【００２１】
さらに、ＣＲユニット１０は、外部機器接続用中継基板１９を介して、ＣＲ遊技機２０、ホールコンピュータ３０、顧客管理システムサーバ４０、プリペイドシステム管理コンピュータ５０等と接続される。ＣＲ遊技機２０は、ＣＲユニット１０と１対１で接続されるもので、ＣＲユニット１０からの遊技球貸出信号を受けたＣＲ遊技機２０は、貸出要求に応じて遊技球排出装置から所定数の遊技球を払い出す。ホールコンピュータ３０は、ＣＲユニット１０で遊技球の貸出に消費した有価価値記録媒体Ｃの有価価値情報や新たに発行した有価価値記録媒体Ｃの金額情報などの各種売上信号を受信する。顧客管理システムサーバ４０は、プリペイド機能あるいは貯玉機能を有する会員カードがＣＲユニット１０へ投入されたときに、その会員カードについての顧客データ等を送信するものである。プリペイドシステム管理コンピュータは、ＣＲユニット１０において新たに発行された有価価値記録媒体Ｃの発行情報や遊技媒体貸出に伴う有価価値消費情報等の取引データを受信するものであり、この収集情報はプリペイドシステムの管理会社で管理される。なお、ＣＲユニット１０は、他のＣＲユニット１０と相互通信が可能な構成としても良い（図１中、一点鎖線で示す）。
【００２２】
上述したＣＲユニット１０は、図２に示すように、ＣＲ遊技機２０と対になって島設備６０に設置され、ＣＲ遊技機２０に正対する椅子７０の上方空間を検知エリアＡとして含むエリアセンサ（例えば、投光部から照射した光が対象物で反射した光を受光部で受ける光センサ等）よりなる着座センサ部１６によって、椅子７０に人が座っているか否か（或いは、ＣＲ遊技機２０に触れるぐらいＣＲ遊技機２０の前面に近づいているか否か）の着座情報を取得可能であり、更に、スピーカ等の音声信号生成部１４から、少なくともＣＲ遊技機２０に正対する椅子７０に座っている者および近傍にいる者には聞き取り可能な音声を出力できる。
【００２３】
なお、着座センサ部１６の検知エリアＡは上下左右に角度調整可能とし、ＣＲユニット１０の設置状況に応じて、最も適切な着座情報を取得できるように設定できることが望ましい。また、センサの受光部に透過率を調整できるフィルタを設けて検知距離を物理的に調節し、椅子７０の後方に居る遊技客を着座と誤検知させないようにしても良い。或いは、着座検知用のエリアセンサを数箇所に設けておき、各センサからの検出情報に基づいて、遊技客の着座・退座を判定するようにしても良い。
【００２４】
そして、ＣＲユニット１０の主制御回路１２は、「遊技機に正対する椅子に誰かが座った蓋然性の高い着座状態の判定に用いる着座情報を取得する着座情報取得手段」と、「着座情報取得手段により取得した着座情報が予め定めた着座条件を満たすことで着座状態を判定する着座状態判定手段」と、「着座情報取得手段により取得した着座情報が予め定めた退座条件を満たすことで退座状態を判定する退座状態判定手段」と、「着座状態判定手段および退座状態判定手段により判定された着座状態および退座状態が、予め設定された動作モードに対応して定まる報知条件を満たすことで、報知制御を行う報知制御手段」としての機能を有し、着座センサ部１６からのセンサ入力を検知情報とし、音声信号生成部１４を作動させるように報知制御を行うことで、椅子７０の着座あるいは退座のタイミングで報知条件に応じた適切な報知を実行することができるのである。
【００２５】
より具体的な報知態様の第１例としては、ＣＲユニット１０が内部的に通常営業時の盗難防止報知モードに設定されたとき、利用可能な情報記録媒体（残価値のある有価価値記録媒体Ｃや会員カード等）の取出操作（返却ボタンの押下）が行われていない状態で着座状態から退座状態へ変化する盗難防止報知条件が満たされることで、情報媒体の盗難防止に関する報知制御を行う。例えば、ＣＲユニット１０の記録媒体保持部１７に有価価値記録媒体Ｃを投入したまま遊技客が席を立った場合に、「カードをお取りください」といった音声がＣＲユニット１０の音声信号生成部１４より出力され、遊技客に有価価値記録媒体Ｃの取出操作を促すのである。この報知態様によれば、遊技者が席を立つタイミングで情報記録媒体の盗難防止報知を行うことが可能となり、情報記録媒体の盗難防止に好適である。
【００２６】
また、報知態様の第２例としては、ＣＲユニット１０が内部的に通常営業時の取り忘れ報知モードに設定されたとき、利用可能な情報記録媒体が媒体挿排口に残っている状態（媒体挿排口１１ｂから出て来た情報記録媒体を遊技者が受け取っていないために、挿排口センサ１７ｂの出力がＯＮになっている状態）で着座状態から退座状態へ変化する取り忘れ報知条件が満たされることで、情報媒体の取り忘れに関する報知制御を行う。例えば、遊技者が返却ボタンを操作して情報記録媒体を取り出したものの、媒体挿排口１１ｂから有価価値記録媒体Ｃを取り忘れて席を立った場合に、「カードをお取りください」といった音声がＣＲユニット１０の音声信号生成部１４より出力され、遊技客に有価価値記録媒体Ｃの受取を促すのである。この報知態様によれば、遊技者が席を立つタイミングで情報記録媒体の取り忘れ報知を行うことが可能となり、遊技媒体貸出装置の媒体挿排口に情報記録媒体を残したまま退座する取り忘れ防止に好適である。
【００２７】
また、報知態様の第３例としては、ＣＲユニット１０が内部的に非営業時の夜間監視モードに設定されたとき、退座状態から着座状態へ変化する不審者侵入報知条件が満たされることで、不審者の侵入に関する報知制御を行う。例えば、遊技店員らはホールから退店し、遊技店内には誰も居ない筈の時間帯に、ＣＲ遊技機２０に近づいて着座センサ１６の検知エリアＡに入った者が検知された場合に、「侵入者発見」といった音声がＣＲユニット１０の音声信号生成部１４より出力され、不審な侵入者に対する警告・警報が行われるのである。この報知態様によれば、夜間に遊技店へ侵入した不審者が遊技機に対する不正改竄を目的として遊技機の正面に近づいたタイミングで不審者侵入の報知を行うことが可能となり、遊技機に対する不正改竄防止に好適である。
【００２８】
このほか、ＣＲユニット１０の動作モードに応じて種々の報知条件を設定することで、各遊技店の営業形態に相応しい報知態様を実現することができ、柔軟性に富んだ報知動作の可能なＣＲユニット１０を提供できる。
【００２９】
なお、ＣＲユニット１０に対する動作モードの設定は、各ＣＲユニット１０に設けた設定操作部を介して行うようにしても良いが、図３に示すように、プリペイドシステム管理コンピュータ５０と店内のＬＡＮ回線８０を介して各ＣＲユニット１０を接続し、プリペイドシステム管理コンピュータ５０から設定情報を各ＣＲユニット１０へ送信すれば、効率的な設定操作を行うことができる。
【００３０】
上記プリペイドシステム管理コンピュータ５０によって設定可能な項目は、特に限定されるものではないが、例えば、盗難防止音声の内容（音声データの指定）や再生方法（継続時間や繰返し回数など）をＣＲユニット１０へ指示したり、盗難防止の報知に伴う追加動作（遊技球の貸出を無効、有価価値記録媒体Ｃの返却を無効、適正な暗証番号が入力された場合に有価価値記録媒体Ｃを返却など）を指示したり、夜間監視の開始時間や終了時間を指示したりする。
【００３１】
ＣＲユニット１０による聴覚的報知（音声信号生成部１４による音声出力）を行うために、予めＣＲユニット１０に音声データを記憶する領域（例えば、５秒×５種類以上の音声データを記憶できる容量のもの）を設けておき、成立した報知条件に応じて音声出力する音声データを選定するようにしても良いし、その成立した報知条件に対応する音声データをプリペイドシステム管理コンピュータ５０からダウンロードして再生するようにしても良い。無論、音声データは随時変更が可能なように、プリペイド管理コンピュータ５０から変更用の音声データをダウンロードして更新できるようにしたり、音声データを記録可能な音声データ用記録媒体（ＵＳＢフラッシュメモリ、ＣＤ、ＤＶＤ等）を物理的に交換するような構成としても良い。また、音声データの配信は、プリペイドシステム管理コンピュータ５０とは別に設けた音声配信専用サーバから行うようにしても良いし、音声出力時に音声データの配信を受ける場合には、ＣＲユニット１０側で音声データをリングバッファにバッファリングしておき、頻度の高いデータをＣＲユニット１０内でキャッシュするようにしても良い。
【００３２】
更に、ＣＲユニット１０による報知は、聴覚的報知に限定されるものではなく、液晶表示パネルやランプ等の表示手段を用いた視覚的報知を併せて行うようにしても良い。画像表示と音声出力を同期させて報知すれば、一層高い報知効果を期待できる。この視覚的報知のための画像データ（動画・静止画）も、ＣＲユニット１０内の画像データ記憶領域に予め記憶しておいても良いし、プリペイドシステム管理コンピュータ５０や画像配信専用サーバから配信を受けて適宜データ更新できるようにしても良いし、動画データ用記録媒体を物理的に交換する構成でも良い。
【００３３】
上述した本実施形態に係るＣＲユニット１０においては、着座検知手段としての着座センサ部１６と音声出力手段としての音声信号生成部１４をＣＲユニット１０が備えるものとしたが、これらはＣＲユニット１０の外部、例えば、ＣＲ遊技機１０や島設備６０や椅子７０に設けても構わない。このように、着座検知手段と音声出力手段を外部に設けてもＣＲユニット１０は着座検知手段からの着座情報を受信可能で、音声出力手段に対する音声出力制御が可能であれば、報知条件に応じた報知制御を行うことができる。外部に設けた着座検知手段および音声出力手段と、ＣＲユニット１０との接続は、有線で行っても良いし、電波、赤外線通信、可視光変調等の無線装置を用いて行っても良い。
【００３４】
また、着座検知手段による着座の検知手法も、上述したエリアセンサに限定されず、種々の手法を適宜採用して構わない。例えば、電波や超音波を用いて遊技客の着座を検知しても良いし、温度センサによって椅子７０に座った遊技者の体温から着座を検知しても良いし、椅子７０に重量センサを設けて、荷重から遊技者の着座を検知しても良い。また、遊技機前面から椅子７０側を映すようにカメラを設け、その入力画像からパターン認識により遊技者の着座を検知しも良い。
【００３５】
次に、上述したＣＲユニット１０による報知動作として、遊技店の通常営業中に行う盗難防止報知処理を図４に基づいて説明する。
【００３６】
盗難防止報知処理を開始すると、先ず、有価価値記録媒体Ｃが投入されているか否かを判定し（ステップＳ１０１）、有価価値記録媒体Ｃが投入されていれば、着座センサ部１６から着座情報を取り込み（ステップＳ１０２）、取り込んだ着座情報に基づき着座状態か否かを判定し（ステップＳ１０３）、着座検知と判定した場合には、着座状態の継続時間を計時する着座タイマをリセットし（ステップＳ１０４）、着座状態の継続時間計時に備える。なお、着座センサ部１６の着座情報取込は、割り込み処理で一定時間毎に繰り返すものとする。
【００３７】
続いて、着座センサ部１６からの着座情報の取込を行い（ステップＳ１０５）、取り込んだ着座情報に基づき着座状態か否かを判定し（ステップＳ１０６）、着座状態であると判定した場合には、着座タイマをインクリメント（着座情報の取込間隔である割り込み処理の割り込み時間を計数値に加算）する（ステップＳ１０７）。これらステップＳ１０５〜１０６を繰り返すことで、着座状態の継続時間を着座タイマで計ることができる。
【００３８】
上記ステップＳ１０６において、着座状態ではないと判定された場合には、着座タイマの計数値が所定の閾値を越えているか否か（例えば、遊技者が椅子に座ってから１８０秒が経過したか否か）を判定し、着座タイマが閾値を越えていると判定された場合（ＣＲ遊技機２０で遊技を行った蓋然性の高い遊技者が席を立ったと考えられる場合）には、一定時間（例えば、０２秒）のウェイト経過後に着座センサ部１６からの着座情報を取り込み（ステップＳ１０９）、着座情報に基づき着座状態か否かを判定する（ステップＳ１１０）。このステップＳ１１０で着座状態であると判定された場合は、遊技中の遊技者が姿勢を変える等して、一時的に着座センサ部１６の検知エリアから外れただけと考えられるので、改めてステップＳ１０１からの処理を繰り返す。
【００３９】
一方、上記ステップＳ１０１で、やはり着座状態ではない（退座状態である）と判定された場合には、ＣＲユニット１０に投入中の有価価値記録媒体Ｃに残価値が有るか否かを判定し（ステップＳ１１１）、ＣＲユニット１０に投入されている有価価値記録媒体Ｃが残価値のないものと判定された場合には、退座した遊技者が有価価値記録媒体Ｃを取り忘れた訳ではないので、そのまま盗難防止報知処理を終了する。
【００４０】
しかしながら、上記ステップＳ１１１にて、残価値のある有価価値記録媒体ＣがＣＲユニット１０に投入中であると判定された場合には、盗難注意喚起用の音声ファイルの再生を行い、残価値のある有価価値記録媒体Ｃの持ち主である遊技者が有価価値記録媒体Ｃを取出忘れたまま立ち去ることがないように報知するのである。
【００４１】
なお、営業中の遊技店内では、様々な音が溢れており、その騒音の中で遊技者の耳に届く音量で報知しなければならないが、余りにも大音量で盗難防止を報知すると、有価価値記録媒体Ｃを取出忘れた遊技者に対しても周囲の遊技者に対しても不快な思いをさせてしまうので、遊技店側で音声信号生成部１４の出力レベルを適切な音量に調整できるようにしておくことが望ましい。音量調整は、ＣＲユニット１０に音量調整ダイアル等を設けて行うようにしても良いし、プリペイドシステム管理コンピュータ５０から設定するようにしても良い。
【００４２】
続いて、一定時間毎に行われる割り込み処理等で取り込んだ表示／操作部１５の操作状態に基づいて返却ボタンが操作されたか否かを判定し（ステップＳ１１３）、返却ボタンが操作されたと判定されれば、上記ステップＳ１１２で行った音声ファイルの再生を停止し（ステップＳ１１４）、盗難防止報知処理を終了する。しかしながら、ステップＳ１１３で返却ボタンが操作されていないと判定された場合には、ステップＳ１１２で開始した音声ファイルの再生時間が所定時間に達したか（或いは、所定長さのフレーズを所定回繰り返すのに必要十分な時間が経過したか）を判定し（ステップＳ１１５）、未だ所定の音声再生時間が経過していなければ、ステップＳ１１３の処理へ戻る。
【００４３】
そして、上記ステップＳ１１５で所定の音声再生時間が経過したと判定された場合、すなわち、盗難注意を喚起する音声報知を行ってから所定時間が経過したにもかかわらず、遊技者による有価価値記録媒体Ｃの返却動作（返却ボタンの操作）が実行されなかった場合には、音声ファイルの再生を停止し（ステップＳ１１６）、表示／操作部１４の貸出ボタンを無効化する（ステップＳ１１７）。このように、貸出ボタンを無効化することで、ＣＲユニット１０に投入されたままの有価価値記録媒体Ｃが第三者に盗用されることを防止できる。
【００４４】
なお、この貸出ボタンの無効化と併せて、有価価値記録媒体Ｃの返却に使う返却ボタンも無効化するようにしても良いし、返却ボタンの操作は有効なままにしておいても良い。この盗難報知後の貸出ボタン無効化に際して返却ボタン操作を有効にするか無効にするかは、当該遊技店において適宜に設定変更できる仕様としておけば、利便性の高いものとなる。図４に示す盗難防止報知処理においては、有価価値記録媒体Ｃの真正な所有者が取り忘れに気付いて戻ってきたときに、暗証番号入力という比較的簡単な操作で返却動作が行えるように、返却ボタンは無効化しないものとした。
【００４５】
すなわち、ステップＳ１１７で貸出ボタンが無効化された後、係員の操作によってＣＲユニット１０内の有価価値記録媒体が取り出されたか否かを判定し（ステップＳ１１８）、未だ有価価値記録媒体Ｃが取り出されていなければ、表示／操作部１４の返却ボタンが操作されたか否かを判定し（ステップＳ１１９）、返却ボタンが操作されていれば、表示操作部１４の暗証番号入力操作部から正しい暗証番号が入力されたか否かを判定し（ステップＳ１２０）、正しい暗証番号の入力があったと判定された場合には、投入中の有価価値記録媒体Ｃの返却を行う（ステップＳ１２１）。
【００４６】
このように、有価価値記録媒体（或いは、会員カード）を取り出し忘れて遊技者が退座した時に、盗難注意を喚起する音声報知を行ったにも拘わらず、有価価値記録媒体Ｃの返却動作が行われなかった場合には、ＣＲユニット１０の動作に機能制限を課し、投入されたままＣＲユニット１０に残された有価価値記録媒体Ｃが盗難されたり、盗用されたりすることを防止することで、ＣＲユニット１０から取り出し忘れた有価価値記録媒体Ｃの真正な所持者を保護できるし、取出忘れに気付いた遊技者が戻ってきた場合には、わざわざ係員を呼ばずに自分で有価価値記録媒体Ｃの返却操作を行うことができるので、利便性も良い。
【００４７】
なお、取出忘れの有価価値記録媒体ＣをＣＲユニット１０から取り出す操作を係員の手に委ねていると、なかなか係員が作業に行けないためにＣＲユニット１０が長時間に亘って使用不能な状態で放置される可能性もある。有価価値記録媒体Ｃが投入されたままのＣＲユニット１０をいつまでも使用できない状態にしておくと、遊技機の稼働率が低下して、遊技店にとって好ましくないので、操作ロックの発生から所定時間が経過したら自動的に貸出ボタンを有効化するようにしても良い。或いは、プリペイドシステム管理コンピュータ５０からの解除指示によって貸出ボタンの操作ロックを解除するようにしても良い。このとき、取り出し忘れた有価価値記録媒体Ｃは、ＣＲユニット１０内の取出忘れ媒体回収部（使用済み媒体回収部とは別途設けた部位）へストックしておくようにしても良い。
【００４８】
或いは、取出忘れ報知を実行することと併せて、有価価値記録媒体Ｃの取出忘れが発生した旨をＣＲユニット１０からプリペイドシステム管理コンピュータ５０へ通知し、これを受けたプリペイドシステム管理コンピュータ５０が媒体管理のデータベースから該当する有価価値記録媒体Ｃの管理情報を検索し、その有価価値記録媒体Ｃの最新状態保持レコードに“使用禁止フラグ”を自動的に立てることで、その有価価値記録媒体Ｃを用いた遊技媒体の貸出を不可能とすれば、係員らの対応が間に合わずに有価価値記録媒体Ｃが既にＣＲユニット１０から第三者に持ち去られていた場合でも、その盗難された有価価値記録媒体Ｃが使用されることを防止できるので、セキュリティの高いものとなる。
【００４９】
また、有価価値記録媒体ＣをＣＲユニット１０に残したまま遊技客が席を立ったときには、ＣＲユニット１０が、取出忘れの報知動作を行うことと併せて、有価価値記録媒体Ｃを媒体挿排口１１ｂから強制的に排出するようにしても良い。このとき、上述した“使用禁止フラグ”によって有価価値記録媒体Ｃのセキュリティを担保しておけば、その有価価値記録媒体Ｃを第三者が持ち去っても不正に使用することはできないので、有価価値記録媒体Ｃの真正な所持者に損失を与えることを防げる。
【００５０】
次に、上述したＣＲユニット１０による報知動作として、遊技店の通常営業中に行う取り忘れ報知処理について説明する。なお、以下の説明においては、上述した盗難防止処理とは別個独立した処理として、取り忘れ報知処理を行うものとする。
【００５１】
取り忘れ報知処理を開始すると、先ず、有価価値記録媒体Ｃが投入されているか否かを判定し（ステップＳ１５１）、有価価値記録媒体Ｃが投入されていれば、着座センサ部１６から着座情報を取り込み（ステップＳ１５２）、取り込んだ着座情報に基づき着座状態か否かを判定し（ステップＳ１５３）、着座検知と判定した場合には、着座状態の継続時間を計時する着座タイマをリセットし（ステップＳ１５４）、着座状態の継続時間計時に備える。なお、着座センサ部１６の着座情報取込は、割り込み処理で一定時間毎に繰り返すものとする。
【００５２】
続いて、着座センサ部１６からの着座情報の取込を行い（ステップＳ１５５）、取り込んだ着座情報に基づき着座状態か否かを判定し（ステップＳ１５６）、着座状態であると判定した場合には、着座タイマをインクリメント（着座情報の取込間隔である割り込み処理の割り込み時間を計数値に加算）する（ステップＳ１５７）。これらステップＳ１５５〜１０６を繰り返すことで、着座状態の継続時間を着座タイマで計ることができる。
【００５３】
上記ステップＳ１５６において、着座状態ではないと判定された場合には、着座タイマの計数値が所定の閾値を越えているか否か（例えば、遊技者が椅子に座ってから１８０秒が経過したか否か）を判定し、着座タイマが閾値を越えていると判定された場合（ＣＲ遊技機２０で遊技を行った蓋然性の高い遊技者が席を立ったと考えられる場合）には、一定時間（例えば、０２秒）のウェイト経過後に着座センサ部１６からの着座情報を取り込み（ステップＳ１５９）、着座情報に基づき着座状態か否かを判定する（ステップＳ１６０）。このステップＳ１６０で着座状態であると判定された場合は、遊技中の遊技者が姿勢を変える等して、一時的に着座センサ部１６の検知エリアから外れただけと考えられるので、改めてステップＳ１５１からの処理を繰り返す。
【００５４】
一方、上記ステップＳ１５１で、やはり着座状態ではない（退座状態である）と判定された場合には、一定時間毎に行われる割り込み処理等で取り込んだ記録媒体保持部１７における挿排口センサ１７ｂの検出状態に基づいてＣＲユニット１０の媒体挿排口１１ｂに有価価値記録媒体Ｃが残っていないか、すなわち、挿排口センサ１７ｂがＯＦＦになっているか否かを判定する（ステップＳ１６１）。このステップＳ１６１で挿排口センサ１７ｂがＯＦＦであると判定された場合には、退座した遊技者が有価価値記録媒体Ｃを媒体挿排口１１ｂから取り忘れた訳ではないので、そのまま取り忘れ報知処理を終了する。
【００５５】
しかしながら、上記ステップＳ１６１にて、挿排口センサ１７ｂがＯＦＦではないと判定された場合には、取り忘れ注意喚起用の音声ファイルの再生を行い、ＣＲユニット１０から返却された有価価値記録媒体Ｃの持ち主である遊技者が、挿排口１７ｂから有価価値記録媒体Ｃを取り忘れたまま立ち去ることがないように報知するのである。なお、この取り忘れ報知音声の出力レベルも、適宜に調整できることが望ましい。
【００５６】
続いて、挿排口センサ１７ｂがＯＦＦになっているか否かを判定し（ステップＳ１６３）、挿排口センサ１７ｂがＯＦＦになっていれば、ＣＲユニット１０から返却された有価価値記録媒体Ｃの持ち主である遊技者が、挿排口１７ｂから有価価値記録媒体Ｃを受け取ったと判断できるので、上記ステップＳ１６２で行った音声ファイルの再生を停止し、取り忘れ報知処理を終了する。しかしながら、ステップＳ１６３で挿排口センサ１７ｂがＯＦＦになっていないと判定された場合には、ステップＳ１６２で開始した音声ファイルの再生時間が所定時間に達したか（或いは、所定長さのフレーズを所定回繰り返すのに必要十分な時間が経過したか）を判定し（ステップＳ１６５）、未だ所定の音声再生時間が経過していなければ、ステップＳ１６３の処理へ戻る。
【００５７】
そして、上記ステップＳ１６５で所定の音声再生時間が経過したと判定された場合、すなわち、取り忘れ注意を喚起する音声報知を行ってから所定時間が経過し、遊技者が有価価値記録媒体Ｃを媒体挿排口１１ｂから取り忘れたまま立ち去ってしまったと想定される場合には、音声ファイルの再生を停止し（ステップＳ１６４）、取り忘れ報知処理を終了する。
【００５８】
このように、有価価値記録媒体Ｃ（或いは、会員カード）を媒体挿排口１１ｂから取り忘れて遊技者が退座した時に、取り忘れ注意を喚起する音声報知を行う取り忘れ報知処理によれば、遊技者が席を立つタイミングで有価価値記録媒体Ｃの取り忘れ報知を行うことが可能となり、ＣＲユニット１０の媒体挿排口１１ｂに有価価値記録媒体Ｃを残したまま退座する取り忘れ防止に好適である。
【００５９】
なお、取り忘れ報知に遊技者が気付かなかったために、ＣＲユニット１０の媒体挿排口１１ｂに残されたままとなった有価価値記録媒体Ｃを係員の手で逐次回収するものとした場合、なかなか係員が作業に行けないために媒体挿排口１１ｂに残っていた有価価値記録媒体Ｃを第三者が持ち去ってしまう可能性もあることから、直前まで投入されていた有価価値記録媒体Ｃの取り忘れが発生した旨をＣＲユニット１０からプリペイドシステム管理コンピュータ５０へ通知し、これを受けたプリペイドシステム管理コンピュータ５０が媒体管理のデータベースから該当する有価価値記録媒体Ｃの管理情報を検索し、その有価価値記録媒体Ｃの最新状態保持レコードに“使用禁止フラグ”を自動的に立てることで、その有価価値記録媒体Ｃを用いた遊技媒体の貸出を不可能とすれば、その盗難された有価価値記録媒体Ｃが使用されることを防止できるので、セキュリティの高いものとなる。
【００６０】
また、この取り忘れ報知処理における取り忘れ報知動作を、前述した盗難防止処理と連携させて行うようにしても良い。例えば、盗難防止報知処理におけるステップＳ１１３で返却ボタン操作有りと判定された後、或いは、ステップＳ１２１で有価記録媒体Ｃを返却した後に、挿排口センサ１７ｂの検出状態を取り込んでＯＦＦかＯＮか判定し、媒体挿排口１１ｂに有価価値記録媒体Ｃが残っていると判定した場合には、取り忘れ注意喚起用の音声を出力し、有価価値記録媒体Ｃの受取を遊技者に促すようにしても良い。
【００６１】
次に、上述したＣＲユニット１０による報知動作として、遊技店の非営業中に行う夜間監視処理について説明する。なお、ＣＲユニット１０による夜間監視の開始・終了は、逐一、プリペイドシステム管理コンピュータ５０からの指示で行っても良いが、予め設定された夜間監視開始開始時刻および夜間監視終了時刻に則って自律的に行うようにしても良い。本実施形態のＣＲユニット１０においては、営業時間が終わって閉店操作された後、自動で夜間監視モードへ移行するまでの間を監視待機モードとし、この監視待機モードにおいては、プリペイドシステム管理コンピュータ５０からの指示を受けることで、予め設定された夜間監視開始時刻になる前から夜間監視モードへ移行できるようにし、遊技店の営業形態に応じて変更できる自由度の高いものとした。
【００６２】
例えば、図５に示す設定パターン例１では、営業終了時刻（例えば、０２：３０）になるよりも前に、ＣＲユニット１０が設置されているホールから居なくなっていることを想定し、営業終了時刻よりも早い時間（例えば、０１：００）に夜間監視開始時刻を設定した場合で、閉店操作から夜間監視開始時刻までの間（Ａ１）においては、プリペイドシステム管理コンピュータ５０からの指示によって、夜間監視の開始を早めることが可能な監視待機モードとなる。
【００６３】
また、図５に示す設定パターン例２では、ＣＲユニット１０が設置されているホールから全ての店員が居なくなる時刻が、営業終了時刻（例えば、０２：３０）よりも遅くなるケースを想定し、営業終了時刻よりも遅い時間（例えば、０３：００）に夜間監視開始時刻を設定した場合で、閉店操作から夜間監視開始時刻までの間（Ａ２）においては、プリペイドシステム管理コンピュータ５０からの指示によって、夜間監視の開始を早めることが可能な監視待機モードとなる。
【００６４】
予め設定されている夜間監視開始時刻から夜間監視終了時刻までの間（Ｂ）においては、ＣＲユニット１０は自動で夜間監視モードとなり、夜間監視終了時刻（例えば、０５：００）になると、営業開始時刻（例えば、０６：００）より前であっても、開店準備のために店員がホール内に入店していることを想定し、夜間監視終了時刻から営業開始時刻までの間（Ｃ）においては夜間監視を行わない。無論、営業開始時刻から開店操作時刻までの間（Ｄ）においても夜間監視は行わない。
【００６５】
図６に示す夜間監視処理は、プリペイドシステム管理コンピュータ５０からの指示を受けて夜間監視モードへ移行する場合を示す。
【００６６】
先ず、プリペイドシステム管理コンピュータ５０から夜間監視設定情報を受信し（ステップＳ２０１）、この受信した夜間監視設定情報に基づいて、夜間監視開始時刻になると夜間監視モードへ移行する（ステップＳ２０２）。夜間監視モードへ移行した後は、夜間監視終了時刻になったか否かを判定し（ステップＳ２０３）、未だ夜間監視終了時刻に到達していなければ、着座センサ部１６からの着座情報を取り込んで着座状態か否かを判定し（ステップＳ２０４）、着座検知と判定した場合には、着座状態の継続時間を計時する着座タイマをリセットし（ステップＳ２０５）、着座状態の継続時間計時に備える。なお、着座センサ部１６の着座情報取込は、割り込み処理で一定時間毎に繰り返すものとする。
【００６７】
続いて、一定時間のウェイト（例えば、着座情報の取込間隔である割り込み処理の繰返しサイクル時間）後に着座センサ部１６から着座情報の取込を行い（ステップＳ２０６）、取り込んだ着座情報に基づき着座状態か否かを判定し（ステップＳ２０７）、着座状態であると判定した場合には、着座タイマをインクリメント（割り込み処理の割り込み時間を計数値に加算）し（ステップＳ２０８）、着座タイマの値（着座状態の継続時間）が所定の閾値を越えているか否か（例えば、不審者がＣＲユニット１０に対応するＣＲ遊技機２０の前面側に来てから１０秒が経過したか否か）を判定する（ステップＳ２０９）。
【００６８】
上記ステップＳ２０９で着座タイマの計数値が閾値を越えていると判定された場合には、侵入警告音声ファイルを再生中か否かを判定し（ステップＳ２１０）、音声再生中でなければ、不審者侵入履歴を履歴データとして記録し（ステップＳ２１１）、侵入警告音声ファイルの再生を開始する（ステップＳ２１２）。すなわち、ホール内に誰も居ないはずの夜間監視中に、着座状態が一定時間以上継続していることから、不審者がホール内に侵入したと判断できるので、これを記録すると共に、不審者に対する警告を音声報知で行うのである。なお、不審者侵入の判定に伴って、ＣＲユニット１０から別途設置してある警備システムへ発報することで、警備システムを稼働させるようにしても良い。
【００６９】
続いて、ステップＳ２１２で開始した音声ファイルの再生時間が所定時間に達したか（或いは、所定長さのフレーズを所定回繰り返すのに必要十分な時間が経過したか）を判定し（ステップＳ２１３）、未だ所定の音声再生時間が経過していなければ、ステップＳ２０６の処理へ戻る。一方、ステップＳ２１３で所定の音声再生時間が経過したと判定された場合には、音声ファイルの再生を停止し（ステップＳ２１４）、ステップＳ２０６へ戻る。すなわち、侵入警告の報知を所定時間行っても不審者が退去しない場合には、音声出力を一旦停止するが、着座タイマによる不審者の滞在時間は引き続き計時する。
【００７０】
そして、上記ステップＳ２０７において着座状態が検知されなかった場合は、一定時間（例えば、０２秒）のウェイト経過後に着座センサ部１６からの着座情報を取り込み（ステップＳ２１５）、着座情報に基づき着座状態か否かを判定する（ステップＳ２１６）。このステップＳ２１６で着座状態であると判定された場合は、不審者が姿勢を変える等して、一時的に着座センサ部１６の検知エリアから外れただけと考えられるので、ステップＳ２１５のウェイト時間を着座タイマにインクリメントし（ステップＳ２１７）、引き続きステップＳ２０６からの処理を繰り返す。
【００７１】
一方、上記ステップＳ２１６で、やはり着座状態ではない（退座状態である）と判定された場合には、着座タイマが所定の閾値を越えているか否かを判定し（ステップＳ２１８）、着座タイマが閾値を越えていない場合、すなわち、不審者がＣＲ遊技機２０に近づいた蓋然性が高いと判断するのに必要十分な時間が経過する前に着座状態から退座状態に変わってしまった場合には、センサの誤検出とも考えられるので、ステップＳ２０３へ飛び、着座タイマによる着座状態の計時を中止するのである。
【００７２】
しかしながら、上記ステップＳ２１８で着座タイマの計時時間が所定の閾値を越えていると判定された場合、すなわち、不審者がＣＲ遊技機２０に近づいた蓋然性が高いと判断するのに必要十分な時間が経過して侵入警告の音声報知が実行された後、不審者がＣＲ遊技機２０の前から立ち去ったと考えられる場合には、不審者立ち去り履歴の記録を行う（ステップＳ２１９）。
【００７３】
続いて、侵入警告の音声ファイルを再生中か否かを判定し（ステップＳ２２０）、音声ファイルの再生が終了していれば、そのままステップＳ２０３へ戻るが、音声ファイルの再生が終了していなければ、所定の音声再生時間が経過するまで待ち（ステップＳ２２１）、所定の音声再生時間経過後に音声ファイルの再生を停止し（ステップＳ２２２）、ステップＳ２０３へ戻る。すなわち、不審者がＣＲ遊技機２０の近く（着座センサ部１６の検知エリア）から立ち去ったと判定されても、直ぐには警告音声の出力を停止せず、所定の音声再生時間が経過するまで音声出力を継続するのである。
【００７４】
上記ステップＳ２０３において、監視終了時刻に到達したと判定されると（ステップＳ２０３）、着座センサ部１６からの着座情報に基づく不審者監視は行わず、プリペイドシステム管理コンピュータ５０からのデータ要求信号を受信するまで待機し（ステップＳ２２３）、プリペイドシステム管理コンピュータ５０からデータ要求信号を受信すると、プリペイドシステム管理コンピュータ５０へ不審者侵入履歴や不審者立ち去り履歴の記録された履歴データを送信し（ステップＳ２２４）、夜間監視処理を終了する。
【００７５】
上述した夜間監視処理においては、不審者の侵入時刻と立ち去り時刻を不審者侵入履歴データとしてプリペイドシステム管理コンピュータ５０へ送信するものとしたが、その他の情報を履歴データに含ませて送信するようにしても良い。例えば、ＣＲ遊技機２０の略正面から座席側を撮影した画像を処理して着座状態の判定を行う場合、不審者検出時の画像を保存しておき、その不審者画像を不審者侵入履歴データの一部としてプリペイドシステム管理コンピュータ５０へ送信すると、通路天井等に設置される一般的な監視カメラよりも顔正面方向に近い至近距離から撮影した不審者画像を得ることができ、不審者を特定する上で貢献度の高い情報として有用である。また、ＣＲユニット１０に画像表示手段を設けてある場合には、遊技店員の操作によって、その画像表示手段に不審者画像を表示できるようにしても良い。
【００７６】
また、不審者の侵入警告動作は、不審者を検出したＣＲユニット１０が単独で行うものに限らず、不審者を検出していない他のＣＲユニット１０…と連携して行うようにしても良い。例えば、不審者を検出したＣＲユニット１０が遊技店内のＬＡＮ８０を介して他のＣＲユニット１０に対して警告応援要請を行い、これを受けたＣＲユニット１０も警告音声の出力を行うことで、複数のＣＲユニット１０…から不審者に対する警告を実現できる。不審者を検出したＣＲユニット１０と連携して警告を行う他のＣＲユニット１０…としては、不審者を検出したＣＲユニット１０に隣接するＣＲユニット１０，１０のように、予め定めた数台程度のＣＲユニット１０…で行うようにしても良いし、不審者を検出したＣＲユニット１０を含む島設備６０の片面あるいは両面に設置された全てのＣＲユニット１０…、店内全てのＣＲユニット１０…で警告を行うようにしても良い。或いは、不審者侵入検知からの時間経過に伴って、警告動作を行うＣＲユニット１０の数を順次増加させて行くことにより、警告レベルが刻々と上がって行くような報知態様としても良い。
【００７７】
以上、本発明に係る遊技媒体貸出装置の実施形態を添付図面に基づいて説明したが、本発明の包摂範囲は、これらの実施形態に限定されるものではなく、公知既存の手法を適宜転用することで実現しても構わない。
【図面の簡単な説明】
【００７８】
【図１】本発明に係るＣＲユニット概略構成図である。
【図２】ＣＲユニットにおける着座検知部の検知エリア説明図である。
【図３】プリペイドシステム管理コンピュータによるＣＲユニットへの設定操作説明図である。
【図４】盗難防止報知処理を示すフローチャートである。
【図５】取り忘れ報知処理を示すフローチャートである。
【図６】夜間監視における設定パターン例の説明図である。
【図７】夜間監視処理を示すフローチャートである。
【符号の説明】
【００７９】
１０    遊技媒体貸出装置
１１ｂ  媒体挿排口
１２    主制御回路
１４    音声信号生成部
１６    着座センサ部
１７    記録媒体保持部
１７ａ  媒体Ｒ／Ｗ部
２０    ＣＲ遊技機
Ｃ      有価価値記録媒体
【図１】
2008086341.tif 000003
【図２】
2008086341.tif 000004
【図３】
2008086341.tif 000005
【図４】
2008086341.tif 000006
【図５】
2008086341.tif 000007
【図６】
2008086341.tif 000008
【図７】
2008086341.tif 000009